(57)【要約】      （修正有）【課題】  運送時や使用直前までは、針が針管内に挿入された形で固定されており、使用時には、包装から針の挿入された針管を、クリップ等の取りはずしなしで取り出すことによって、針管と針が自由になり使用が可能になる治療用針灸針を提供すること。【解決手段】  針管４と針柄１を有する針とからなる針管付き針灸用針であって、針管の直径より若干小さい内径で縦に切り離され、伸縮性を持たせた筒５で、筒は針管にかぶせた時、針管上を上下にスライドする。また、この筒は、針管よりも短く作ってある。この筒を針管にかぶせ、針管より上に筒の上部を出しておく、この筒の上部内側に粘着剤６をつけ、針管に入れた針の針柄上部と筒上部内側とを粘着させたことを特徴とする、針管付き針の固定方法である。【選択図】  図４
2006314727.tif 000002
【特許請求の範囲】
【請求項１】
針管と針柄を有する針とからなる針管付き針灸用針であって、針管の直径より若干小さい内径で縦に切り離され、伸縮性を持たせた筒で、筒は針管にかぶせた時、針管上を上下にスライドできる、この筒を針管にかぶせ、針管より上に筒の上部を出しておき、その部分の内側上部内側に粘着剤をつけ、針管に入れた針の針柄上部と筒上部内側とを粘着させたことを特徴とする、針管付き針の固定方法。
【請求項２】
上記、針管に入れた針の針柄上部と筒上部内側とを粘着させたことを特徴とする、針管付き針の固定方法で包装した請求項１に記載した針管付き針。
【発明の詳細な説明】
【技術分野】
【０００１】  本発明は針灸治療に使用される針と針管の固定方法に関するものである。
【背景技術】
【０００２】  針治療において、針を皮膚に刺入させる方法として、針全体より短めに作られた針管を皮膚に垂直に密着させ、針先を皮膚方向に挿入し、針管より上に出た針柄を上から押し込めば、針は皮膚を切皮し、刺入される。この方法は管針法と呼ばれる方法で、針治療では広く行われている。【０００３】  近年、針灸治療用の針と針管は、衛生上使い捨て針を使用するようになり、針管に針を挿入した状態で個別包装し、滅菌操作がされて提供される機会が多くなった。このとき針管に挿入された針が、針管の中で移動し、包装材料を針先で破り、滅菌した針が汚染したり、針先が折れ曲がる等の破損が起きないよう、使用直前までは針管と針は固定され、かつ使用時には針管の中を針は自由に動かせるようにならなければならない。【０００４】  従来この方法として、針管に針を挿入して針柄と針管の間隙にクリップ等の小物を挟んで動かなくする方法がある。この方法は製造時、針柄と針管の間隙にクリップを挟む手数がかかる不都合がある。また使用時にはこのクリップをはずす煩わしさと、クリップがごみとなる不都合がある。【０００５】  また、針柄と針管をポリプロピレンでつくり、針柄の突起と針管の内側を超音波溶着させる方法が開示されている。【０００６】  また、針柄をステンレスで作り、針管をポリプロピレンで作りアロナルファとアクリル系接着剤で剥離可能なように針管と針柄を接着させた方法が開示されている。【０００７】
【特許文献１】特開平８−１０３１０
【特許文献２】特開平９−２８７５８
【特許文献３】特開平８−１５５００６
【発明の開示】
【発明が解決しようとする課題】
【０００８】  しかしながら、これらの方法は、使用直前まで針柄が針管に固着されているため、扱いやすい反面、針管から針柄を剥離させる時、溶着又は接着している方向から力を入れなければ剥離せず反対方向からの力では剥離しない。よって使用時力を入れる位置を探さなければならない不都合と、針柄と針管の溶着や接着が剥離可能といえ、運搬時の剥離を防ぐため、ある程度強く溶着や接着がされていて、多数本を使用する施術者は剥離作業で指先の感覚を重視する施術者には不都合が生じる。【０００９】  本発明は、運送時や使用直前までは、針管と針は針管内に挿入された形で針が動かないよう固定されていて、使用時クリップ等をはずしたりごみが出ることもなく、指先に大きな力をかけることなく、包装から針の挿入された針管を取り出した時、、容易に針管と針が自由になり、使用が可能になる治療用針灸針の固定方法を提供することを目的とする。
【課題を解決するための手段】
【００１０】  本発明の針管付き針の固定方法は、針管と針柄を有する針とからなる針管付き針灸用針であって、針管の直径より若干小さい内径で縦に切り離され、伸縮性を持たせた筒で、筒は針管にかぶせた時、針管上を上下にスライドする。また、この筒は、針管よりも短く作ってある。この筒を針管にかぶせ、針管より上に筒の上部を出しておく、この筒の上部内側に粘着剤をつけ、針管に入れた針の針柄上部と筒上部内側とを粘着させたことを特徴とする、針管付き針の固定方法。【００１１】  本発明の針管付き針の固定方法は、上記、針管に入れた針の針柄上部と筒上部内側とを粘着させたことを特徴とする、針管付き針の固定方法で包装された針灸用針である。
【発明の効果】
【００１２】  本発明によれば、針管にかぶせた筒の上部内側と針柄上部が粘着された針管及び針は、未使用時には針管と針は筒により固定されているので包装時や滅菌処理する時、振動の多い搬送時にも針管及び針管内に挿入された針は動く事なく保持される。【００１３】  使用時は、筒を下にスライドさせると、針管の肉厚のため筒と針柄の粘着は剥がされ、針管内の針は自由に動かせる。また筒は針管上にあり、針管より短めに作ってあるため、針管より外に出っ張らず、その後の操作に支障をきたすことはない針管と針が提供できる。
【発明を実施するための最良の形態】
【００１４】  以下に本発明の実施例を図１〜図７に基づいて説明する。【００１５】  図１において、１は本発明の針具の一実施例である針灸針の針柄であり材質はステンレス、２は針、３は針先、４は針管で材質はポリプロピレンとし、その断面図を示す。針灸針は針柄と針及び針先をたした長さは、針管より長くできている。【００１６】  図２の５は針管の直径より若干小さい内径で縦に切り離され、伸縮性を持たせた筒で、筒は針管にかぶせた時、針管上を上下にスライドする。また、この筒は、針管よりも短く作ってある。筒の材質はポリプロピレンとする。筒上部の内側６の位置にアクリル系粘着剤をつける。【００１７】  図３のごとく針管４に筒５の粘着剤をつけた部分より少し下までかぶせる。【００１８】  図４のごとく針を針管に挿入し、針柄１の上部を筒５の上部内側６の粘着剤に粘着させ、固定する。【００１９】  図５のごとく使用時には、筒を針管４の下方へスライドさせる。この時、針管の肉厚が針柄と筒５の粘着部６を引き剥がすため、簡単に剥離し、針管の中を自由に動かせる針管と針が提供できる。【００２０】  筒５は針管の直径より若干小さい内径で縦に切り離され、伸縮性を持たせてあるので、針管４に密着し、かつ針管より短いため、以後の針管としての操作に邪魔とはならない。【００２１】  前記実施例では、針柄はステンレスを針管はポリプロピレン、粘着剤にアクリル系を夫々用いたものであるが、本発明はこれらに限定されるものではなく、針柄１としては、ポリプロピレン、ポリカーボネイト、アルミ、ニッケルまたはクロムめっき真鍮等を、また針管４としては、ポリエチレン、ポリカーボネイト、アクリル樹脂、ガラス、ステンレス管等を、粘着剤としては、ゴム系やシリコーン系の粘着剤、また粘着剤付きの両面テープでもよい。さらに粘着ではなく接着剤でもプラスチックシートに強く接着し、針柄の材質に弱接着するものを選べば使用可能である。このように前記実施例と材質が異なるものを使用するときは、本発明の技術思想に従って、夫々の材質の特性を加味し適宜選択して使用する。【００２２】  さらに筒の形状として図６のごとく筒上部７のように、縦に切れ込みを入れ、内側に折り込み、その内側に粘着剤をつけ治療法針の針柄を固定する形でもよい。【００２３】  また筒の形状として、横に切れ込みを入れることもできるが、その場合は、図７の（ａ）の８のように三角形に切り取る方が良く、これは、図７の（ｂ）のように９の位置で内側に折り曲げ、１０の位置に粘着剤を付けた場合、針管上をスライドさせる時、針管の肉厚に引っかからないようになる。このような治療法針の針柄を固定する形でもよい。
【図面の簡単な説明】
【００２４】
【図１】針管と針の断面図
【図２】筒斜視図
【図３】本発明の針管と筒の分解斜視図
【図４】本発明の実施の形態の一例を示す全体図
【図５】本発明の使用時の一例を示す全体図
【図６】本発明の筒部の一例
【図７】本発明の筒部の一例
【符号の説明】
【００２５】１  針柄、２  針、３  針先、４  針管、５  筒、６  粘着剤塗布部、７  切り込み部、８  三角形切り取り部、９  折り曲げ部、１０  粘着剤塗布部
【図１】
2006314727.tif 000003
【図２】
2006314727.tif 000004
【図３】
2006314727.tif 000005
【図４】
2006314727.tif 000006
【図５】
2006314727.tif 000007
【図６】
2006314727.tif 000008
【図７】
2006314727.tif 000009